(57)【要約】【課題】課題１は理美容におけるカット、整髪等についての基本技術を、現実に即した環境での習得が可能な練習具の提供で、課題２はウイッグ、取付具及び上半身模型の三者を、簡便かつ安定的に固定する器具の提供で、課題３は、構造が簡素で汎用性があり、大量生産を可能とし安価な理美容練習具を提供すること。【解決手段】  理美容練習具Ｔは、人体を模した上半身模型Ａと嵌挿部材Ｂよりなり、上半身模型Ａは、頸部を除く肩部１、胸部２、鎖骨３、背部４、上腕部５及び脇腹部６を一体的に連設してなり、嵌挿部材Ｂは、縦断面形状をほぼ三角形状とし、外周縁Ｂ１を傾斜面とし、内周壁Ｂ２には垂直状の脚部Ｂ３を下方に向けて延設すると共に、その先端には上半身模型Ａの貫通孔１１ｆ、１１ｆに挿着される固定ピンＢ４、Ｂ４が垂設されている。【選択図】図１
2008100021.tif 000002
【特許請求の範囲】
【請求項１】
理美容師又は見習い等による技術習得、特にロングヘアーのカット、整髪等の練習に使用される理美容練習具であって、  頸部を除く、肩部、胸部、鎖骨、背部、上腕部及び脇腹部を一体的に連設してなり、前記肩部中央には浅底の凹部を形成すると共に、当該凹部の中心線上における上面には、ウイッグ頸部を挿着する円錐状の柱状体を立設し、かつ下面にはウイッグ取付具の支持ヘッドを嵌合する円錐状の筒状体を垂設してなる人体の上半身模型と、  前記柱状体に挿着されるウイッグ頸部と前記凹部の周壁間とに形成される空隙に嵌着される、弾性材料を素材とする着脱自在の嵌挿部材と、からなることを特徴とする、理美容練習具。
【請求項２】
前記上半身模型は、熱可塑性樹脂を素材とし、当該上半身の各部位は、成人女性のほぼ平均的体型を一体成型してなり、底部を開口すると共に、内部を空洞化していることを特徴とする、請求項１に記載の理美容練習具。
【請求項３】
前記凹部は、平面視ほぼ半円形状とし、かつその最大内径は、ウイッグ頸部の下端部外径が最大のウイッグより大としていることを特徴とする、請求項１〜請求項２の何れかに記載の理美容練習具。
【請求項４】
前記凹部の最大内径は、少なくとも約１３０ｍｍ以上であることを特徴とする、請求項１〜請求項３の何れかに記載の理美容練習具。
【請求項５】
前記凹部の鎖骨近傍の左右両端には貫通孔が穿設されていることを特徴とする、請求項１〜請求項４の何れかに記載の理美容練習具。
【請求項６】
前記嵌挿部材は、平面視ほぼ半円形状で、その縦断面形状は、ほぼ三角形状をなし、外周縁を傾斜面とし、内周壁には垂直状の脚部を下方に向けて延設していることを特徴とする、請求項１〜請求項５の何れかに記載の理美容練習具。
【請求項７】
前記弾性材料が、熱可塑性樹脂、天然ゴム、合成ゴムであることを特徴とする、請求項１〜請求項６の何れかに記載の理美容練習具。
【請求項８】
前記嵌挿部材の脚部には、前記貫通孔に嵌合される固定ピンが垂設されていることを特徴とする、請求項１〜請求項７の何れかに記載の理美容練習具。
【請求項９】
前記嵌挿部材の色は、前記上半身模型と同色としていることを特徴とする、請求項１〜請求項８の何れかに記載の理美容練習具。
【発明の詳細な説明】
【技術分野】
【０００１】  本発明は、理美容練習具に係り、より詳しくは、理美容師又は見習い等による技術習得、特にロングヘアーのカット、整髪等の練習に使用される理美容練習具に関する。
【背景技術】
【０００２】  従来より、理美容業界における基本技術であるヘアーカット、整髪等の技術習得には、人体の首及びヘアー付き頭部を模した人形、いわゆるウイッグを、支持ヘッド、バイス及び締付ハンドル等からなる取付具に装着して行われている。しかし、ウイッグ使用によるショートスタイルのヘアーカット等には問題ないが、ロングスタイル及びミディアムスタイルのヘアカット、グラデーション、ブラッシング等を実習するに際しては、ウイッグのみでは、人体の肩部、背部、胸部がない状態でのヘアーカット、整髪等の練習は、実情からかけ離れた状態であるため、理美容師又は見習い等には、そのイメージを把握するのが困難である。この不具合を解決するための一方法として、ロングヘアーの一般人をインターネット等を介して募集し、相応の対価を支払って練習用のモデルになってもらい、各種のトレーニングを行う理美容院等も存在している。【０００３】  理美容における現実に即した練習を可能にすることを目的として、例えば特開２００２−３４５５５２、特開平９−１６８４２３等が提案、開示されている。特開２００２−３４５５５２の「理美容練習エアボディ」は、塩化ビニール等からなる肩、背、女性の胸を有する上半身部の形状を持ち、空気出入口を設けてなることを特徴としている。また特開平９−１６８４２３の「理美容トレーニングボディ」は、ヘアーが植設された頭部の下方に肩や背を有する上半身部を配し、この上半身部及び前記頭部を支える取付金具を設けて、この取付金具にて椅子の背もたれやテーブルに取り付けるようにしている。また近年、図６及び図７に示す市販製品１００が「ウイッグショルダー」としてメーカーＪにより製造、販売されている。同製品１００は、肩部１０１中央に円盤状の台座１０２を形成すると共に、複数の溝１０３付き垂直状挿着軸１０４を立設してなり、底面１０５は閉塞され、その中央にはウイッグ取付具１２０の支持ヘッド１２１を挿着るための嵌合筒状部１０６が上向きに形成されていることを特徴とし、市販製品１００と同じメーカーであるＪが製造、販売するウイッグ１１０を装着して使用するものである。【特許文献１】特開２００２−３４５５２号公報
【特許文献２】特開平９−１６８４２３号公報
【発明の開示】
【発明が解決しようとする課題】
【０００４】  特許文献１を使用するに際しては、なんらかの手段ないし方法によりエアボディ内に空気を送入しなければならないので、空気送入器具を用意しなければならない。またその空気送入作業や排気作業は煩瑣であり、さらに理美容のカット練習作業等においては、実習者は常に、鋏、櫛及びレザー等の鋭利な器具を所持し、これを頻繁に動かすために、エアボディが破損する虞が十分にあり、作業環境上好ましくない。また特許文献２は、構成部材の点数が多数であるためにコスト高となっている。また上半身部が回転不可能であることによる使用上の不便さ、さらに不使用時における収納性が悪い等の欠点がある。図６及び図７に示す市販製品１００の使用について説明する。まず市販製品１００の底面１０５に形成された嵌合筒状部１０６に、スタンド又はテーブル（図示しない）に固定されたウイッグ取付具１２０の支持ヘッド１２１を挿着した後、ウイッグ１１０の頸部１１１の底部中心部に形成された筒状部の複数の突起１１２を、市販製品１００の挿着軸１０４の各溝１０３内に挿入してウイッグ１１０を固定する。当業界においては、ウイッグ、特にその頸部の形状、外径寸法及び筒状内の突起の数、形状、部位等は、メーカーによって種々かつ多様であり、またウイッグ底部には頸部外径より大径の台部と補強金具を備えているウイッグが多数製作されている。図示する市販製品１００に、他メーカー製品のウイッグを装着すれば、台座１０２の上部に頸部が設置されるので、ウイッグの頸部が異様に長くなりバランスが悪いために違和感を与え、また挿着軸１０４には複数の溝１０３が形成されているので、他メーカー製品のウイッグの顔面は正面を向くことができない。したがって市販製品１００の「ウイッグショルダー」は、Ｊ社製品のウイッグ１１０専用の練習具で汎用性がない。また市販製品１００は鎖骨下部までしかないので、カット作業等においては実情にそぐわない。また図７に示すように、支持ヘッド１２１は、底面１０５に形成された嵌合筒状部１０６に固定され、ウイッグ１１０は、市販製品１００の台座１０２に設けられた挿着軸１０４に嵌合されるために、ウイッグ１１０はきわめて不安定な状態となり、実習者の身体の一部が「ウイッグショルダー」に接触すると、当該「ウイッグショルダー」は簡単に傾斜したり、ウイッグ１１０の向きが変化する不都合が起きる。さら市販製品１００の「ウイッグショルダー」は、Ｊ社製品のウイッグ１１０とセット購入しなければならないので、その購入価格は高価となり、理美容界における見習い、インターン等の実習者には経済的負担が重くなっている。【０００５】  本発明が解決しようとする課題の１は、理美容におけるカット、整髪等についての基本技術を、現実に即した環境での習得が可能な練習具を提供することであり、課題の２は、ウイッグ、取付具及び上半身模型の三者を、簡便かつ安定的に固定する練習具を提供することであり、課題の３は、構造が簡素で、メーカーによって寸法差異があるウイッグに対応できる汎用性があり、かつ大量生産を可能とし、理美容界における見習い、インターン等が容易に購入可能な練習具を提供することにある。
【課題を解決するための手段】
【０００６】  本発明者は、従来技術が有する各種の諸問題に鑑み、上記、１〜３の課題を解決するために鋭意検討し、本発明を完成したものである。課題を解決するための手段は、本願、特許請求の範囲の各請求項に記載の発明であり、その具体的手段は、以下の通りである。【０００７】  課題を解決するための第１の発明は、請求項１に記載の発明であり、理美容師又は見習い等による技術習得、特にロングヘアーのカット、整髪等の練習に使用される理美容練習具であって、頸部を除く、肩部、胸部、鎖骨、背部、上腕部及び脇腹部を一体的に連設してなり、前記肩部中央には浅底の凹部を形成すると共に、当該凹部の中心線上における上面には、ウイッグ頸部を挿着する円錐状の柱状体を立設し、かつ下面にはウイッグ取付具の支持ヘッドを嵌合する円錐状の筒状体を垂設してなる人体の上半身模型と、前記柱状体に挿着されるウイッグ頸部と前記凹部の周壁間とに形成される空隙に嵌着される、弾性材料を素材とする着脱自在の嵌挿部材と、からなることを特徴としている。【０００８】  課題を解決するための第２の発明は、請求項２に記載の発明であり、前記上半身模型は、熱可塑性樹脂を素材とし、当該上半身の各部位は、成人女性のほぼ平均的体型を一体成型してなり、底部を開口すると共に、内部を空洞化していることを特徴としている。【０００９】  課題を解決するための第３の発明は、請求項３に記載の発明であり、前記凹部は、平面視ほぼ半円形状とし、かつその最大内径は、ウイッグ頸部の下端部外径が最大のウイッグより大としていることを特徴としている。【００１０】  課題を解決するための第４の発明は、請求項４に記載の発明であり、前記凹部の最大内径は、少なくとも約１３０ｍｍ以上であることを特徴としている。【００１１】  課題を解決するための第５の発明は、請求項５に記載の発明であり、前記凹部の鎖骨近傍の左右両端には貫通孔が穿設されていることを特徴としている。【００１２】  課題を解決するための第６の発明は、請求項６に記載の発明であり、前記嵌挿部材は、平面視ほぼ半円形状で、その縦断面形状は、ほぼ三角形状をなし、外周縁を傾斜面とし、内周壁には垂直状の脚部を下方に向けて延設していることを特徴としている。【００１３】  課題を解決するための第７の発明は、請求項７に記載の発明であり、前記弾性材料が、熱可塑性樹脂、天然ゴム、合成ゴムであることを特徴としている。【００１４】  課題を解決するための第８の発明は、請求項８に記載の発明であり、前記嵌挿部材の脚部には、前記貫通孔に嵌合される固定ピンが垂設されていることを特徴としている。【００１５】  課題を解決するための第９の発明は、請求項９に記載の発明であり、前記嵌挿部材の色は、前記上半身模型と同色としていることを特徴としている。
【発明の効果】
【００１６】  本発明に係る、理美容練習具は、上記の構成になるから以下の効果を奏する。即ち、第１〜第２の発明によれば、頸部を除く、肩部、胸部、鎖骨、背部、上腕部及び脇腹部を一体的に連設し、肩部中央には浅底の凹部を形成すると共に、凹部の中心線上における上面には、ウイッグ頸部を挿着する円錐状の柱状体を立設し、かつ下面にはウイッグ取付具の支持ヘッドを嵌合する円錐状の筒状体を垂設してなる人体の上半身模型と、柱状体に挿着されるウイッグ頸部と凹部の周壁間とに形成される空隙に嵌着される、弾性材料を素材とする着脱自在の嵌挿部材とからなり、また上半身模型は、熱可塑性樹脂を素材とし、当該上半身の各部位は、成人女性のほぼ平均的体型を一体成型してなり、底部を開口すると共に、内部を空洞化しているので、あたかも顧客が現実に理美容院内の椅子に座している雰囲気と状況内でカット作業等の各種練習を行うことができ、第１の課題である、理美容におけるカット、整髪等についての基本技術を、現実に即した環境での習得が可能となった。さらに上半身模型は、凹部の中心線上に柱状体を立設すると共に筒状体を垂設してなり、柱状体にはウイッグ頸部を挿着し、筒状体にはウイッグ取付具の支持ヘッドを嵌合して使用するので、ウイッグ取付具、上半身模型及びウイッグが凹部の中心線上で一体的かつ安定した固定が簡便にできるので、第２の課題を解決することができた。また本発明の構成部材は、上半身模型と嵌挿部材とからなる簡素な構造であり、両者共に公知の成型技術、例えば押型成型法等により大量生産が可能で、製作コストの低廉化による販売価格を安価とし、理美容界における見習い、インターン等の実習者が容易に購入可能な理美容練習具を提供するという、第３の課題を解決することができた。【００１７】  第３及び第４の発明によれば、凹部は平面視ほぼ半円形状で、その最大内径は、少なくとも約１３０ｍｍ以上とし、ウイッグ頸部の下端部外径が最大のウイッグより大としているので、メーカーによって異なる各種ウイッグ頸部の外径寸法に対応できる汎用性を有する。【００１８】  第５及び第８の発明によれば、凹部の鎖骨近傍の左右両端には貫通孔が穿設され、嵌挿部材の脚部には、前記貫通孔に嵌合される固定ピンが垂設されているので、ウイッグは凹部に着実かつ安定的に固定できる。またウイッグの不使用時は、嵌挿部材の固定ピンを凹部の貫通孔に挿着して上半身模型と共に収納庫等に整理できるので嵌挿部材を喪失することがない。【００１９】  第６及び第７の発明によれば、嵌挿部材は、平面視ほぼ半円形状で、その縦断面形状は、ほぼ三角形状をなし、外周縁を傾斜面とし、内周壁には垂直状の脚部を下方に向けて延設してなり、嵌挿部材は、熱可塑性樹脂、天然ゴム、合成ゴム等の弾性材料からなるので、ウイッグ頸部と凹部の周壁間とに形成される空隙に簡便かつ容易に嵌着と取り外しができる。【００２０】  第９の発明によれば、嵌挿部材の色は、前記上半身模型と同色としているので、上半身模型と一体感があり、違和感なく使用することができる。
【発明を実施するための最良の形態】
【００２１】  以下、本発明の理美容練習具に係る、最良の実施形態について、図面を参照して詳細に説明する。図１は、本発明を構成する上半身模型と嵌挿部材を分離した状態を示す斜視図、図２は、上半身模型に嵌挿部材を嵌着した状態の縦断面図、図３（イ）は、嵌挿部材の断面図、図３（ロ）は、上半身模型の要部縦断面図、図４は、上半身模型の平面図、図５は、使用状態における一部切欠断面図、図６は、市販製品の斜視図、図７は、同使用状態を示す一部切欠断面図である。【００２２】  理美容練習具Ｔは、人体を模した上半身模型Ａと嵌挿部材Ｂよりなり、上半身模型Ａは図１及び図２他に示すように、頸部を除く肩部１、胸部２、鎖骨３、背部４、上腕部５及び脇腹部６を一体的に連設してなり、当該上半身模型Ａは、略成人女性の平均的体型寸法とし、少なくとも肩部１の寸法Ｗ１が、約３４０ｍｍ〜４１０ｍｍ、肩部１〜胸部２の高さ寸法Ｈ１が、約２００ｍｍ〜２５０ｍｍ、胸部２〜背部４の厚さ寸法Ｗ２が、約２００ｍｍ〜２５０ｍｍとされている。肩部１の中央には浅底の凹部１１が形成されている。凹部１１は、平面視ほぼ半円形状をなし、その最大内径Ｗ３は、少なくとも約１３０ｍｍ以上としている。この内径寸法は、市販されている各種ウイッグの下端部外径より大で、全てのウイッグ頸部に対応できる寸法である。１１ａは凹部１１の上面でその中央には円錐状の柱状体１１ｂが立設され、その高さＨ２は、少なくとも周壁１１ｃより高く、約４０ｍｍ〜５０ｍｍとし、底部直径Ｗ４は、約２２ｍｍ〜２６ｍｍ、頂部の直径Ｗ５は、約１６ｍｍ〜２０ｍｍとしている。１１ｄは、凹部１１の下面でその中央には円錐状の筒状体１１ｅが垂設されている。また凹部１１の下面１１ｄの鎖骨３近傍両側には貫通孔１１ｆ、１１ｆが穿設されている。１１ｈは凹部１１の外周縁部である。上半身模型Ａの製作素材は、熱可塑性樹脂、例えば、ＡＢＳ樹脂、ポリプロピレン、ポリエチレン、ポリスチレン、ポリエステルで、特にＡＢＳ樹脂又はポリプロピレン等が好ましく、公知技術、例えば押型成型法又はインジェクション成型法等で一体的に成型される。【００２３】  図１及び図３（イ）他に示す嵌挿部材Ｂは、上半身模型Ａの柱状体１１ｂに挿着されるウイッグＵの頸部Ｕ１（図５、参照）と凹部１１の周壁１１ｃ間とに形成される空隙Ｍに嵌着されるもので、弾性材料、例えば、熱可塑性樹脂のうち特にポリエチレン、ポリプロピレン又は塩化ビニール等や天然ゴム、合成ゴム等を好適な素材とし、凹部１１と相似するほぼ半円形状とし、その最大外径Ｗ６は、少なくとも凹部１１の最大内径Ｗ３より大としている。嵌挿部材Ｂの縦断面形状は、ほぼ三角形状をなし、外周縁Ｂ１を傾斜面とし、内周壁Ｂ２には垂直状の脚部Ｂ３を下方に向けて延設すると共に、その先端には上半身模型Ａの貫通孔１１ｆ、１１ｆに挿着される固定ピンＢ４、Ｂ４が垂設されている。Ｂ５は外周縁Ｂ１の底面水平部である。嵌挿部材Ｂの高さ寸法Ｈ３は、約２０ｍｍ〜３５ｍｍで、外周縁Ｂ１の巾寸法Ｗ７は、約２５ｍｍ以上、脚部Ｂ３の巾寸法Ｗ８は、約５ｍｍ以上としている。嵌挿部材Ｂは、上半身模型Ａと同色例えば、人肌色とし、上半身模型Ａに嵌着したとき違和感を感じさせないためである。【００２４】  理美容練習具Ｔの使用態様について、図５等を中心に説明する。まずウイッグ取付具２０のバイス２２を台板Ｄ等に取り付けて強く固定した後、カット、整髪等を練習する、理美容師又は見習い等実習者の身長に適応する長さに、支持ヘッド２１の高さ位置を調節ロッド２３を介して調整する。つぎに、上半身模型Ａの底部開口Ａａから上半身模型Ａを降下させて、筒状体１１ｅを支持ヘッド２１の頂部に当接させ、下方に押し下げてこれに嵌合する。続いてウイッグＵの頭部ないし頸部Ｕ１を把持し、顔面が中央を向くように頸部Ｕ１の下方中央に形成された嵌合筒Ｕ２を、上半身模型Ａの柱状体１１ｂに上方から押し下げるようにして嵌合、固定する。このとき、ウイッグＵの台部Ｕ３の補強金具Ｕ４と上半身模型Ａの周壁部１１ｃ間にできる空隙Ｍに嵌挿部材Ｂの脚部Ｂ３を押し込むようにして嵌着し、固定ピンＢ４、Ｂ４を貫通孔１１ｆ、１１ｆに挿着してウイッグＵの上半身模型Ａへの装着作業は終了し、見習い、インターン等によるカット、整髪等の練習は円滑に行われる。【００２５】  技術習得練習後には固定ピンＢ４、Ｂ４を貫通孔１１ｆ、１１ｆから取り外すと共に、嵌挿部材Ｂを空隙Ｍから引き上げた後、ウイッグＵの頭部ないし頸部Ｕ１を片手で把持し、他の手で上半身模型Ａの肩部１を下方に抑えながら上方に引き上げれば、ウイッグＵの嵌合筒Ｕ２は、上半身模型Ａの柱状体１１ｂから離脱する。つぎに上半身模型Ａの上腕部５を両手で把持しこれを上方に引き上げれば、筒状体１１ｅは支持ヘッド２１から離脱される。嵌挿部材Ｂの固定ピンＢ４、Ｂ４を上半身模型Ａの貫通孔１１ｆ、１１ｆに挿着して収納庫等に保管される。
【図面の簡単な説明】
【００２６】
【図１】は、本発明を構成する上半身模型と嵌挿部材を分離した状態を示す斜視図である。
【図２】は、上半身模型に嵌挿部材を嵌着した状態の縦断面図である。
【図３】（イ）は、上半身模型の要部縦断面図である。        （ロ）は、嵌挿部材の断面図である。
【図４】は、上半身模型の平面図である。
【図５】は、使用状態における一部切欠断面図である。
【図６】は、市販製品の斜視図である。
【図７】は、同使用状態を示す一部切欠断面図である。
【符号の説明】
【００２７】Ｔ                                理美容練習具Ａ                                上半身模型Ａａ                              底部Ｂ                                嵌挿部材Ｂ１                              外周縁Ｂ２                              内周壁Ｂ３                              脚部Ｂ４                              固定ピンＣ                                中心線Ｕ                                ウイッグＵ１                              頸部Ｕ２                              嵌合筒Ｕ３                              台部Ｕ４                              補強金具Ｍ                                空隙Ｗ１                              肩部の寸法Ｗ２                              胸部〜背部の厚さ寸法Ｗ３                              凹部の最大内径Ｈ１                              肩部〜胸部の高さ寸法１                                肩部２                                胸部３                                鎖骨４                                背部５                                上腕部６                                脇腹部１１                              凹部１１ａ                            上面１１ｂ                            柱状体１１ｃ                            周壁１１ｄ                            下面１１ｅ                            筒状体１１ｆ、１１ｆ                    貫通孔１１ｈ                            周縁部２０                              ウイッグ取付具２１                              支持ヘッド
【図１】
2008100021.tif 000003
【図２】
2008100021.tif 000004
【図３】
2008100021.tif 000005
【図４】
2008100021.tif 000006
【図５】
2008100021.tif 000007
【図６】
2008100021.tif 000008
【図７】
2008100021.tif 000009